(57)【要約】  データ伝送の管理方法において、第1クライアントが、データ更新をサーバに要求するステップと、サーバが第1クライアントの要求を解析し、予め設定された制御ポリシーに基づいて、クライアントが更新を要求したデータに制御措置をとり、クライアントの要求するデータが制御ポリシーを満足する場合、後続のステップに進むステップと、サーバが、データ更新を第1クライアントに通知するステップと、第1クライアントが、データ更新を行うステップと、サーバが、第1クライアントのデータ更新を第2クライアントに通知するステップと、第2クライアントが、前記更新のデータを取得するステップと、を含む。また、本発明は、上記方法を実現する制御システムを開示している。本発明は、サーバが統一の中央制御通知の方式を採用することによって、個人別データの伝播ルートを有効に制御することができる。
2008523477.tif 000002
【特許請求の範囲】
【請求項１】
データ伝送の管理方法であって、
クライアントが、データ更新をサーバに要求するステップ１）と、
サーバが、クライアントの要求を解析し、予め設定された制御ポリシーに基づいて、クライアントが更新を要求したデータに対して制御措置をとり、クライアントが更新を要求したデータが制御ポリシーを満足する場合、後続のステップに進むステップ２）と、
サーバが、データ更新をクライアントに通知するステップ３）と、
クライアントが、データ更新を行うステップ４）とを含むことを特徴とするデータ伝送の管理方法。
【請求項２】
前記制御ポリシーが知的財産権保護の制御ポリシーを含み、前記ステップ２）が、
前記要求のデータが当該データの知的財産権の権利者の承認を得られたかどうかを判断し、承認を得られた場合、ステップ３）に進み、
承認を得られなかった場合、ステップ２２）に進むステップ２１）と、
サーバが、要求されたデータの知的財産権の権利者の承認を得ることをクライアントに通知し、当該クライアントが承認を得られたと知った後、ステップ３）に進むステップ２２）とを含むことを特徴とする請求項１に記載のデータ伝送の管理方法。
【請求項３】
前記制御ポリシーが課金制御ポリシーを含み、前記ステップ２）が、
前記要求のデータが、クライアントの料金の支払を必要とするかどうかを判断し、
必要とする場合、ステップ２ｂ）に進み、必要としない場合、ステップ３）に進むステップ２ａ）と、
サーバが、当該データの使用料の支払をクライアントに通知し、料金が支払われたことを知った後、ステップ３）に進むステップ２ｂ）とを含むことを特徴とする請求項１に記載のデータ伝送の管理方法。
【請求項４】
前記ステップ２ａ）の判断が、クライアントの身分情報を解析し、身分情報に基づいて、当該データがクライアントの料金支払を必要とするかどうかを判断することをさらに含むことを特徴とする請求項３に記載のデータ伝送の管理方法。
【請求項５】
前記データ伝送がインスタントメッセージングシステムのデータ伝送を含み、前記ステップ１）、２）、３）及び４）におけるクライアントが、インスタントメッセージングシステムにおいて、相互に通信するクライアント内の第１クライアントを含むことを特徴とする請求項１、２、３又は４に記載のデータ伝送の管理方法。
【請求項６】
ステップ４）の後、当該制御方法が、
サーバが、当該第１クライアントのデータ更新を第１クライアントとインスタントメッセージングを行う第２クライアントに通知するステップ５）と、
第２クライアントが、前記更新のデータを取得するステップ６）とをさらに含むことを特徴とする請求項５に記載のデータ伝送の管理方法。
【請求項７】
前記ステップ１）においてデータ更新を要求することは、第１クライアントがサーバにより提供されたデータシーケンスからデータを選択し、選択結果をサーバに送信することを含み、前記ステップ４）におけるデータ更新は、第１クライアントが選択したデータをサーバからダウンロードすることを含み、前記ステップ６）におけるデータ更新は、第２クライアントが、第１クライアントに選択されたデータをサーバからダウンロードすること、又は、第１クライアントから前記データを受信することを含むことを特徴とする請求項６に記載のデータ伝送の管理方法。
【請求項８】
前記ステップ１）、ステップ２）におけるサーバがデータコンテンツサーバを含み、前記ステップ３）、ステップ４）、ステップ５）及びステップ６）におけるサーバが個人別データサーバを含み、データコンテンツサーバが、個人別データサーバに対して、個人別データの第１クライアントの使用をアクティブにすることをさらに含むことを特徴とする請求項７に記載のデータ伝送の管理方法。
【請求項９】
前記ステップ１）においてデータ更新を要求することは、第１クライアントが、その選択したデータのアップロードをサーバに要求することを含み、前記ステップ４）におけるデータ更新は、第１クライアントが、前記データをサーバにアップロードすることを含み、前記ステップ６）におけるデータ更新は、第２クライアントが、第１クライアントのアップロードしたデータをサーバからダウンロードすること、又は、第１クライアントから前記データを受信することを含むことを特徴とする請求項６に記載のデータ伝送の管理方法。
【請求項１０】
前記ステップ１）、ステップ２）におけるサーバがデータコンテンツサーバを含み、前記ステップ５）におけるサーバが個人別データサーバを含み、前記ステップ２）とステップ５）の間において、データコンテンツサーバが、個人別データサーバに対して、個人別データの第１クライアントの使用をアクティブにし、第１クライアントの個人別データを個人別データサーバに伝送することをさらに含むことを特徴とする請求項９に記載のデータ伝送の管理方法。
【請求項１１】
前記データが、画像、音楽、リング又はビデオマルチメディア情報を含むことを特徴とする請求項１に記載のデータ伝送の管理方法。
【請求項１２】
サーバと、クライアントとを含み、前記サーバとクライアントとの間にデータチャネルを有するデータ伝送の管理システムであって、前記サーバが、クライアントのデータ更新要求を解析し、予め設定された制御ポリシーに基づいて、クライアントが更新を要求したデータに対して制御措置をとり、クライアントが更新を要求したデータが制御ポリシーを満足する場合、クライアントにデータ更新を許可することを特徴とするデータ伝送の管理システム。
【請求項１３】
前記制御ポリシーが知的財産権保護の制御ポリシー、又は課金制御ポリシーを含むことを特徴とする請求項１２に記載のデータ伝送の管理システム。
【請求項１４】
前記サーバが、制御ポリシーデータを記憶するデータベースと、クライアントが更新を要求したデータのタイプ及び対応の制御ポリシー状況を判断するデータタイプ判断ユニットとを含むことを特徴とする請求項１２又は１３に記載のデータ伝送の管理システム。
【請求項１５】
前記サーバが、データ使用料の支払提示メッセージを構成して、クライアントに送信し、支払結果を確認する課金ユニットをさらに含み、前記サーバが、当該課金ユニットが料金が支払われたと確認した後、クライアントが更新を要求したデータが制御ポリシーを満足すると判定することを特徴とする請求項１４に記載のデータ伝送の管理システム。
【請求項１６】
前記サーバが、データが制御措置を必要とするかどうかを判断し、必要とする場合、制御ポリシー提示メッセージをクライアントに送信し、確認結果に基づいて、制御ポリシーを満足するかどうかを判断し、制御ポリシーを満足する場合、アクティブメッセージを個人別データサーバに送信するデータコンテンツ提供サーバと、アクティブにした後、クライアントにデータ更新サービスを提供する個人別データサーバとを含むことを特徴とする請求項１２又は１３に記載のデータ伝送の管理システム。
【請求項１７】
前記サーバがインスタントメッセージングサーバを含み、前記クライアントが相互にインスタントメッセージングを行うクライアントを含むことを特徴とする請求項１２又は１３に記載のデータ伝送の管理システム。
【請求項１８】
前記更新を要求したデータに対してサーバにより制御措置をとられるクライアントが、インスタントメッセージングの第１クライアントを含み、前記制御ポリシーを満足した後、サーバによりデータ更新を許可されるクライアントが、インスタントメッセージングの第１クライアントと第２クライアントを含むことを特徴とする請求項１７に記載のデータ伝送の管理システム。
【発明の詳細な説明】
【技術分野】
【０００１】
本発明は、データ処理及び伝送技術に関し、特にデータ伝送の管理方法及びシステムに関する。
【背景技術】
【０００２】
情報技術の発展に伴って、インターネットはすでに人々の仕事、勉強、生活など多くの分野に深く入り込んで、疎通とコミュニケーションに比較的大きな便利をもたらした。通常、ネットワークシステムは、サーバとクライアントなどのノードからなる。
【０００３】
図１はネットワークシステムを示す図である。当該システムは、サーバ９１０と、第１クライアント９２０と、第２クライアント９３０とを含む。ここで、第１クライアント９２０と第２クライアント９３０の両方とも、サーバ９１０との間のデータチャンネルを有し、第１クライアント９２０と第２クライアント９３０の間も直接にデータ交換を行うことができる。
【０００４】
ネットワークシステムにおいて、通常、ユーザはある方法を使って自身を表示し、例えば、インスタントメッセージングシステムで提供される画像であり、このような、ユーザを表示するための画像はアバター画像とも呼ばれる。
【０００５】
図２は従来技術１においてユーザにアバター画像を提供する方法を示す図である。
【０００６】
ステップＳ１００、サーバから第１クライアントと第２クライアントに、一連の固定の画像を送信し、ユーザに表示して選択させる。
【０００７】
ステップＳ１１０とステップＳ１２０、第１クライアントと第２クライアントがそれぞれ固定のアバター画像のシーケンスを保存する。
【０００８】
その後、ステップＳ１１１において、第１クライアントのユーザが、提供された一連の画像から一つを選択して、自分のアバター画像とする。
【０００９】
ステップＳ１１２、第１クライアントが、アバター画像設定情報（ここでは画像インデックス番号）をサーバに送信する。
【００１０】
ステップＳ１１３、サーバが、当該アバター画像設定情報を保存する。
【００１１】
第２クライアントのユーザが、当該第１クライアントのユーザの情報を見る場合、ステップＳ１２１に進み、即ち、第２クライアントのユーザがサーバに要求情報を送信して、第１クライアントのユーザのアバター画像インデックス情報、即ち、アバター画像設定情報を要求する。
【００１２】
ステップＳ１２２、サーバが、当該要求情報を受信し、解析する。
【００１３】
ステップＳ１２３、サーバが、当該ユーザのアバター画像設定情報を第２クライアントに送信する。
【００１４】
ステップＳ１２４、第２クライアントが当該アバター画像設定情報に基づいて、対応の画像を表示する。
【００１５】
上記方法においては、サーバにより固定の一連の画像が提供され、ユーザがこの一連の画像のみから好きなものを選択して画像とするため、ユーザ体験に影響を与える。ネットワーク通信の普及に伴って、固定のシステムアバター画像がますます要求を満足できなくなっている。
【００１６】
相応に、従来技術においては、個人別アバター画像を実現する方法が現れ、図３は従来技術２の個人別アバター画像を実現する方法を示す図である。図３に示すように、第１クライアントと第２クライアントが通信する場合、
ステップＳ２１１、第１クライアントが個人別アバター画像を選択する。個人別アバター画像とは、ユーザ自身が選択した画像であり、当該画像は、デジタルカメラで撮影された写真、又は、ネットワークから検索された画像である。
【００１７】
ステップＳ２１２、第１クライアントが、アバター画像変更メッセージを第２クライアントに送信して、アバター画像の変更を通知する。
【００１８】
ステップＳ２１３、第２クライアントが、前記アバター画像変更メッセージを受信し、解析する。
【００１９】
ステップＳ２１４、第２クライアントが、当該変更後のアバター画像の画像ファイルの送信を第１クライアントに要求する。
【００２０】
ステップＳ２１５、第１クライアントが、第２クライアントのアバター画像ファイル要求を受信し、第２クライアントに画像ファイルを送信する。
【００２１】
ステップＳ２１６、第２クライアントが、受信した画像に基づいて、相手のアバター画像を変更し、表示する。
【００２２】
しかしながら、従来技術２の方法にも欠点がある。即ち、ユーザが随意に個人別画像を選択することで、選択された画像ファイルが他人の知的財産権（例えば、著作権など）を侵害する恐れがあり、そして、前記画像ファイルが、クライアントの間でポイントツーポイント（Ｐ２Ｐ）の方式により伝送されて、ネットワークシステムが、選択された画像が他人の知的財産権を侵害するかどうかを判断し難しいため、画像ファイルの知的財産権の保護を有効に実現することができない。この問題は図２に示す方案にもある。従来技術１の図２に示す方案においては、一連の画像をすべてクライアントに保存して、サーバが画像のインデックスのみに対して管理し、画像の伝送ルートに対しては管理できないため、同様に、選択された画像が他人の知的財産権を侵害するかどうかを判断し難しく、画像ファイルの知的財産権の保護を有効に実現することができない。
【００２３】
同様に、ネットワークシステム内のクライアントの間が、ポイントツーポイントの方式により他のデータ、例えばリング、音楽、文学作品など、知的財産権により保護されるものを伝送する場合、知的財産権の保護を有効に実現することも困難である。
【発明の開示】
【発明が解決しようとする課題】
【００２４】
本発明の解決しようとする課題として、個人別データの伝播ルートを有効に制御できる、データ伝送の管理方法及びシステムを提供することにある。
【課題を解決するための手段】
【００２５】
本発明に係る課題を解決する技術手段は以下の通りである。
【００２６】
データ伝送の管理方法であって、
クライアントが、データ更新をサーバに要求するステップ１）と、
サーバが、クライアントの要求を解析し、予め設定された制御ポリシーに基づいて、クライアントが更新を要求したデータに対して制御措置をとり、クライアントが更新を要求したデータが制御ポリシーを満足する場合、後続のステップに進むステップ２）と、
サーバが、データ更新をクライアントに通知するステップ３）と、
クライアントが、データ更新を行うステップ４）とを含む。
【００２７】
前記制御ポリシーが知的財産権保護の制御ポリシーを含み、前記ステップ２）が、
前記要求のデータが当該データの知的財産権の権利者の承認を得られたかどうかを判断し、承認を得られた場合、ステップ３）に進み、承認を得られなかった場合、ステップ２２）に進むステップ２１）と、
サーバが、要求されたデータの知的財産権の権利者の承認を得ることをクライアントに通知し、当該クライアントが承認を得られたと知った後、ステップ３）に進むステップ２２）とを含む。
【００２８】
前記制御ポリシーが課金制御ポリシーを含み、前記ステップ２）が、
前記要求のデータが、クライアントの料金の支払を必要とするかどうかを判断し、必要とする場合、ステップ２ｂ）に進み、必要としない場合、ステップ３）に進むステップ２ａ）と、
サーバが、当該データの使用料の支払をクライアントに通知し、料金が支払われたことを知った後、ステップ３）に進むステップ２ｂ）とを含む。
【００２９】
前記ステップ２ａ）の判断が、クライアントの身分情報を解析し、身分情報に基づいて、当該データがクライアントの料金支払を必要とするかどうかを判断することをさらに含む。
【００３０】
前記データ伝送がインスタントメッセージングシステムのデータ伝送を含み、前記ステップ１）、２）、３）及び４）におけるクライアントが、インスタントメッセージングシステムにおいて、相互に通信するクライアント内の第１クライアントを含む。
【００３１】
ステップ４）の後、当該制御方法が、
サーバが、当該第１クライアントのデータ更新を第１クライアントとインスタントメッセージングを行う第２クライアントに通知するステップ５）と、
第２クライアントが、前記更新のデータを取得するステップ６）とをさらに含む。
【００３２】
前記ステップ１）においてデータ更新を要求することは、第１クライアントがサーバにより提供されたデータシーケンスからデータを選択し、選択結果をサーバに送信することを含み、前記ステップ４）におけるデータ更新は、第１クライアントが選択したデータをサーバからダウンロードすることを含み、前記ステップ６）におけるデータ更新は、第２クライアントが、第１クライアントに選択されたデータをサーバからダウンロードすること、又は、第１クライアントから前記データを受信することを含む。
【００３３】
前記ステップ１）、ステップ２）におけるサーバがデータコンテンツサーバを含み、前記ステップ３）、ステップ４）、ステップ５）及びステップ６）におけるサーバが個人別データサーバを含み、データコンテンツサーバが、個人別データサーバに対して、個人別データの第１クライアントの使用をアクティブにすることをさらに含む。
【００３４】
前記ステップ１）においてデータ更新を要求することは、第１クライアントが、その選択したデータのアップロードをサーバに要求することを含み、前記ステップ４）におけるデータ更新は、第１クライアントが、前記データをサーバにアップロードすることを含み、前記ステップ６）におけるデータ更新は、第２クライアントが、第１クライアントのアップロードしたデータをサーバからダウンロードすること、又は、第１クライアントから前記データを受信することを含む。
【００３５】
前記ステップ１）、ステップ２）におけるサーバがデータコンテンツサーバを含み、前記ステップ５）におけるサーバが個人別データサーバを含み、前記ステップ２）とステップ５）の間において、データコンテンツサーバが、個人別データサーバに対して、個人別データの第１クライアントの使用をアクティブにし、第１クライアントの個人別データを個人別データサーバに伝送するステップをさらに含む。
【００３６】
前記データが、画像、音楽、リング又はビデオマルチメディア情報を含む。
【００３７】
サーバと、クライアントとを含み、前記サーバとクライアントとの間にデータチャネルを有するデータ伝送の管理システムであって、前記サーバが、クライアントのデータ更新要求を解析し、予め設定された制御ポリシーに基づいて、クライアントが更新を要求したデータに対して制御措置をとり、クライアントが更新を要求したデータが制御ポリシーを満足する場合、クライアントにデータ更新を許可する。
【００３８】
前記制御ポリシーが知的財産権保護の制御ポリシー、又は課金制御ポリシーを含む。
【００３９】
前記サーバが、制御ポリシーデータを記憶するデータベースと、クライアントが更新を要求したデータのタイプ及び対応の制御ポリシー状況を判断するデータタイプ判断ユニットとを含むことを特徴とする請求項１２又は１３に記載のデータ伝送の管理システム。
【００４０】
前記サーバが、データ使用料の支払提示メッセージを構成して、クライアントに送信し、支払結果を確認する課金ユニットをさらに含み、前記サーバが、当該課金ユニットが料金が支払われたと確認した後、クライアントが更新を要求したデータが制御ポリシーを満足すると判定する。
【００４１】
前記サーバが、データが制御措置を必要とするかどうかを判断し、必要とする場合、制御ポリシー提示メッセージをクライアントに送信し、確認結果に基づいて、制御ポリシーを満足するかどうかを判断し、制御ポリシーを満足する場合、アクティブメッセージを個人別データサーバに送信するデータコンテンツ提供サーバと、アクティブにした後、クライアントにデータ更新サービスを提供する個人別データサーバとを含む。
【００４２】
前記サーバがインスタントメッセージングサーバを含み、前記クライアントが相互にインスタントメッセージングを行うクライアントを含む。
【００４３】
前記更新を要求したデータに対してサーバにより制御措置をとられるクライアントが、インスタントメッセージングの第１クライアントを含み、前記制御ポリシーを満足した後、サーバによりデータ更新を許可されるクライアントが、インスタントメッセージングの第１クライアントと第２クライアントを含む。
【発明の効果】
【００４４】
従来技術に比べて、本発明では、サーバが予め設定された制御ポリシーに基づいて、更新のデータに対して制御措置をとることによって、統一の中央制御通知の方式を採用して、更新を要求されたデータの制御を統一に行うことができるため、個人別データの伝播ルートを有効に制御することができて、知的財産権の保護に優れた効果がある。
【００４５】
本発明の好ましい実施の形態において、サーバがクライアントが更新を要求したデータの制御状況を検出し、権利侵害が発生する可能な場合に、料金支払をクライアントに提示することによって、データ伝播のルートを制御し、有効な知的財産権の保護措置を提供している。
【発明を実施するための最良の形態】
【００４６】
図４に示すように、本発明に係るデータ伝送の管理方法を示すフローチャートは以下の通りである。
【００４７】
ステップＳ１１、第１クライアントが、データ更新をサーバに要求する。
【００４８】
本発明において、前記データが画像ファイル、リング、音楽など、知的財産権により保護されるものであってよい。また、前記データ更新を要求することが、第１クライアントがサーバにより提供されたデータシーケンスの中で選択して、選択結果をサーバに送信すること、又は、第１クライアントがその選択した個人別データのアップロードをサーバに要求することであってよい。ここで、当該個人別データが、インターネットからダウンロードした個人別画像のような、第１クライアントが他のルートを通じて選択したデータであってよい。本発明では、サーバにて、予めデータに対する制御ポリシーを設定し、当該制御ポリシーは、例えば、データの知的財産権を保護する制御ポリシーであってよく、課金サービスデータに対する支払制御ポリシーであってもよい。  
【００４９】
ステップＳ１２、サーバが第１クライアントの要求を解析し、予め設定された制御ポリシーに基づいて、当該データに対して制御措置をとるかどうかを判断する。制御措置をとる場合、ステップＳ１３に進み、そうでない場合、ステップＳ１４に進む。
【００５０】
制御ポリシーが知的財産権保護の制御ポリシーである場合、具体的な判断は以下のとおりであってよい。第１クライアントの要求するデータの知的財産権が保護されているかどうかを判断して、保護されている場合、当該クライアントの要求が、要求データの知的財産権の権利者の承認を得られたかどうかを判断して、承認を得られなかった場合、制御措置をとる必要があり、承認を得られた場合、制御措置をとる必要がない。ここでの制御措置としては主に、要求データの知的財産権の権利者の承認を得るようにクライアントに通知し、当該クライアントがすでに承認を得られたことを知った後、クライアントにデータ更新を許可し、又は、相応の料金の支払をクライアントに通知し、料金が支払われたことを確認した後、クライアントにデータ更新を許可する。データ更新の過程は以下を参照する。
【００５１】
制御ポリシーが支払制御ポリシーである場合、具体的な判断は以下のとおり  であってよい。第１クライアントにより選択されたデータが課金サービスのデータに属するかどうかを判断して、属する場合、制御措置をとる必要があり、属しない場合、制御措置をとる必要がない。ここでの制御措置としては主に、相応の料金の支払をクライアントに通知し、料金が支払われたことを確認した後、クライアントにデータ更新を許可する。データ更新の過程は以下を参照する。
【００５２】
ステップＳ１３、サーバが、当該データの使用料の支払を第１クライアントに通知する。そして、料金が支払われたことをサーバが知った後、ステップＳ１４に進む。
【００５３】
前記料金の支払方式では従来技術の各技術手段、例えば、現金支払、インターネット支払などを採用してよい。サーバが、料金が支払われたことを知るルートとしては、知的財産権の権利者から知り、又は、クライアントのインターネット支払いを受信することなどでよく、ここでは説明を省略する。
【００５４】
ステップＳ１４、サーバが、データ更新を第１クライアントに通知する。
【００５５】
ステップＳ１５、第１クライアントがデータ更新を行う。
【００５６】
具体的に、前記データ更新は、第１クライアントがサーバから前記データをダウンロードすること、又は、第１クライアントが前記データをサーバにアップロードすることである。
【００５７】
ステップＳ１６、サーバが、第１クライアントがデータ更新を行ったことを第２クライアントに通知する。
【００５８】
ステップＳ１７、第２クライアントが、前記更新のデータを取得する。
【００５９】
具体的な取得のステップは、第２クライアントがサーバから前記データをダウンロードすること、又は、第２クライアントが前記データの伝送を第１クライアントに要求することであってよい。
【００６０】
図５に示すように、本発明のシステムにおいて、サーバ１１０が、第１クライアント１２０及び第２クライアント１３０との間のデータチャンネルを有し、第１クライアント１２０と第２クライアント１３０との間が直接にデータ交換を行うことができる。
【００６１】
サーバ１１０は、データベース１１１と、データタイプ判断ユニット１１２と、課金ユニット１１３と、サーバインターフェース１１４と、処理ユニット１１５とを含む。データベース１１１は、制御ポリシーデータを記憶し、データタイプ判断ユニット１１２は、クライアントが更新を要求したデータのタイプ及び制御ポリシー（例えば知的財産権保護の制御ポリシー、又は支払制御ポリシー）の状況を判断し、課金ユニット１１３は、データ使用料の支払提示メッセージを構成してクライアントに送信し、支払結果を確認し、サーバの処理ユニットでは、料金が支払われたと当該課金ユニットが確認した後、クライアントが更新を要求したデータが制御ポリシーを満足すると判定し、サーバインターフェース１１４は、クライアントとの間のデータチャネルを確立し、処理ユニット１１５は、他の各ユニットの動作を調整し、データタイプ判断ユニットの判定結果及び予め設定された制御ポリシーに基づいて、クライアントが要求したデータに対して制御措置をとり、そして、クライアントが更新を要求したデータが制御ポリシーを満足すると判定した後、クライアントにデータ更新を許可し、データの処理と伝送をサポートする。
【００６２】
本発明をよく理解するため、以下、実施例を参照して本発明の方法を説明する。
【００６３】
図６は本発明に係る第１の実施例を示す図である。第１の実施例では、インスタントメッセージングシステムのユーザが画像を変更する場合の知的財産権保護の実現を例として、本発明を説明する。
【００６４】
ステップＳ８１１、第１クライアントが、要求メッセージをサーバに送信して、サーバ内の既存の画像ライブラリのオープンを要求する。
【００６５】
ステップＳ８１２、サーバが、前記要求メッセージを解析し、処理し、既存の画像リストを第１クライアントに返信する。
【００６６】
ステップＳ８１３、第１クライアントが、受信した画像リストをユーザに表示し、ユーザが適切な画像を選択した後、第１クライアントが、選択された画像の情報をサーバに送信する。
【００６７】
ステップＳ８１４、サーバが、当該選択された画像が知的財産権により保護されるかどうかを判断し、保護される場合、相応の使用料の支払を第１クライアントに提示する。第１クライアントがサーバからの提示メッセージを受信した後、知的財産権の権利者に相応の料金を支払う。サーバが、料金が支払われたと確認した後に、ステップＳ８１５に進む。前記選択された画像が知的財産権により保護されない、又は第１クライアントが、当該画像の知的財産権の権利者の承認（例えば、要求に承認識別子が含まれる）を得られた場合、直接にステップＳ８１５に進む。
【００６８】
ステップＳ８１５、サーバが、選択成功の通知を第１クライアントに送信する。
【００６９】
ステップＳ８１６、サーバが、画像更新を第１クライアントに通知する。
【００７０】
ステップＳ８１７、上記メッセージを受信した第１クライアントが、選択されたアバター画像のダウンロードをサーバに要求する。
【００７１】
ステップＳ８１８、サーバが、要求されたアバター画像を第１クライアントに返信する。
【００７２】
ステップＳ８１９、サーバが、通知メッセージを第２クライアントに送信して、第１クライアントのアバター画像の変更を通知する。
【００７３】
ステップＳ８２０、第２クライアントが、前記第１クライアントの更新後のアバター画像のダウンロードをサーバに要求する。
【００７４】
ステップＳ８２１、サーバが、要求されたアバター画像を第２クライアントに返信する。
【００７５】
同時に、サーバと第３クライアントの間のアバター画像更新通知及びダウンロード過程は、第２クライアントと似ていて、ステップＳ８２２〜ステップＳ８２４を参照し、ここでは説明を省略する。
【００７６】
図７は本発明に係る第２の実施例を示す図である。
【００７７】
本実施例において、サーバは、画像のタイプの判断、ユーザが相応の料金を支払いたかどうかの判断を含む知的財産権の保護措置をとる画像コンテンツ提供サーバと、データ更新をクライアントに通知する個人別画像サーバと、を含む。
【００７８】
ステップＳ９１１、第１クライアントが、要求メッセージを画像コンテンツ提供サーバに送信して、画像コンテンツ提供サーバ内の既存の画像ライブラリのオープンを要求する。
【００７９】
ステップＳ９１２、画像コンテンツ提供サーバが、前記要求メッセージを解析し、処理し、既存の画像リストを第１クライアントに返信する。
【００８０】
ステップＳ９１３、第１クライアントが、受信した画像リストをユーザに表示し、ユーザが適切な画像を選択した後、第１クライアントが、選択された画像の情報を画像コンテンツ提供サーバに送信する。
【００８１】
ステップＳ９１４、画像コンテンツ提供サーバが、当該選択された画像が知的財産権により保護されるかどうかを判断し、保護される場合、相応の使用料の支払を第１クライアントに提示する。第１クライアントが画像コンテンツ提供サーバからの提示メッセージを受信した後、知的財産権の権利者に相応の料金を支払う。画像コンテンツ提供サーバが、料金が支払われたと確認した後に、ステップＳ９１５に進む。選択された画像が知的財産権により保護されない、又は、第１クライアントが当該画像の知的財産権の権利者の承認（例えば、要求に承認識別子が含まれる）を得られた場合、直接にステップＳ９１５に進む。
【００８２】
ステップＳ９１５、画像コンテンツ提供サーバが、メッセージを個人別画像サーバに送信して、第１クライアントのユーザの当該選択された画像の使用をアクティブにする。
【００８３】
ステップＳ９１６、個人別画像サーバが、アクティブ成功のメッセージを画像コンテンツ提供サーバに返信する。
【００８４】
ステップＳ９１７、画像コンテンツ提供サーバが、選択の成功を第１クライアントに通知する。
【００８５】
ステップＳ９１８、個人別画像サーバが、画像更新を第１クライアントに通知する。
【００８６】
ステップＳ９１９、上記メッセージを受信した第１クライアントが、選択されたアバター画像のダウンロードを個人別画像サーバに要求する。
【００８７】
ステップＳ９２０、個人別画像サーバが、要求されたアバター画像を第１クライアントに返信する。
【００８８】
ステップＳ９２１、その後、個人別画像サーバが、メッセージを第２クライアントに送信して、第１クライアントのアバター画像の変更を通知する。
【００８９】
ステップＳ９２２、第２クライアントが、前記第１クライアントの更新後のアバター画像のダウンロードを個人別画像サーバに要求する。
【００９０】
ステップＳ９２３、個人別化画像サーバが、要求されたアバター画像を第２クライアントに返信する。
【００９１】
その他、サーバが、第１クライアントのユーザの身分を判断し、相応の課金処理を行うことができる。例えば、ユーザを月極めのユーザ又は回数に基づくユーザなどに分けて、月極めのユーザの場合、当該ユーザが料金を支払ったと判定でき、ユーザが後続のデータ更新のプロセスを行うことを許可し、回数に基づくユーザの場合、要求のデータが料金の支払を必要とするかどうかをさらに判断する必要があり、料金の支払を必要とする場合、ユーザが料金を支払った後、後続のデータ更新のプロセスを行う。
【００９２】
また、上記ステップＳ９１３において、第１クライアントにより選択された画像は、他のルートによって得られた個人別画像、例えば、インターネットからダウンロードした画像、又はデジタルカメラで撮影された画像などであってよい。ここで、第１クライアントが当該選択された個人別画像を画像コンテンツ提供サーバにアップロードし、後続のステップＳ９１４に進み、料金が支払われた後、画像コンテンツ提供サーバにより、個人別画像サーバに対して、個人別画像サービスの第１クライアントの使用をアクティブにする。画像コンテンツ提供サーバは、第１クライアントの個人別画像を個人別画像サーバに伝送する。個人別画像サーバは、データ更新を第２クライアントに通知する。第２クライアントの具体な更新のプロセスは、個人別画像サーバから前記個人別画像を取得すること、又は、第１クライアントから前記個人別画像を直接に取得することである。
【００９３】
上記のように、本発明において、システムのサーバが中央制御通知方式を採用して、個人別画像の伝播のルートを制御することによって、他人の知的財産権を侵害する個人別画像の不正伝播をある程度防止することができる。
【００９４】
説明したいところは、本発明はインスタントメッセージングシステム内の画像の伝播に限らない。例えば、オーディオ、ビデオマルチメディア情報などその他のファイルであってよい。この場合、画像コンテンツ提供サーバがデータコンテンツ提供サーバと呼ばれ、個人別画像サーバが個人別データサーバと呼ばれることができる。
【００９５】
さらに説明したいところは、本発明は、モバイル通信システムにおける端末の自己定義リングの伝播、例えば、ユーザが自己定義の音楽を採用して、相手の呼出音とすることなどにも応用でき、または、モバイル通信システムの端末が画像を指定して、相手のナンバーディスプレイの表示とすることに応用でき、ここでは説明を省略する。
【００９６】
以上述べたのは本発明の好ましい実施形態にすぎず、当業者にとっては、本発明の原理を逸脱しないことを前提として、若干の修正と改善をすることができ、これらの修正と改善も本発明の保護範囲と認められるべきである。
【図面の簡単な説明】
【００９７】
【図１】ネットワークシステムを示す図である。
【図２】従来技術１においてユーザにアバター画像を提供する方法を示す図である。
【図３】従来技術２において個人別アバター画像を実現する方法を示す図である。
【図４】本発明に係るデータ伝送の管理方法を示すフローチャートである。
【図５】本発明に係るデータ伝送の管理システムのブロック図である。
【図６】本発明に係る方法の第１の実施例を示すフローチャートである。
【図７】本発明に係る方法の第２の実施例を示すフローチャートである。
【符号の説明】
【００９８】
１１０  サーバ
１１１  データベース
１１２  データタイプ判断ユニット
１１３  課金ユニット
１１４  サーバインターフェイス
１１５  処理ユニット
１２０  第１クライアント
１３０  第２クライアント
【図１】
2008523477.tif 000003
【図２】
2008523477.tif 000004
【図３】
2008523477.tif 000005
【図４】
2008523477.tif 000006
【図５】
2008523477.tif 000007
【図６】
2008523477.tif 000008
【図７】
2008523477.tif 000009
【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
データ伝送の管理方法であって、
クライアントが、データ更新をサーバに要求し、
サーバが、クライアントの要求を解析し、予め設定された制御ポリシーに基づいて、クライアントが更新を要求したデータに対して制御措置をとり、クライアントが更新を要求したデータが制御ポリシーを満足するかどうかを判断して、満足する場合、サーバが、データ更新をクライアントに通知し、クライアントが、データ更新を行うことを含むことを特徴とするデータ伝送の管理方法。
【請求項２】
前記制御ポリシーが知的財産権保護の制御ポリシーを含み、前記クライアントが更新を要求したデータが制御ポリシーを満足するかどうかを判断することは、
前記要求のデータが当該データの知的財産権の権利者の承認を得られたかどうかを判断することを含むことを特徴とする請求項１に記載のデータ伝送の管理方法。
【請求項３】
前記要求のデータが当該データの知的財産権の権利者の承認を得られなかった場合、
サーバが、要求されたデータの知的財産権の権利者の承認を得ることをクライアントに通知することを更に含むことを特徴とする請求項２に記載のデータ伝送の管理方法。
【請求項４】
前記制御ポリシーが課金制御ポリシーを含み、前記クライアントが更新を要求したデータが制御ポリシーを満足するかどうかを判断することは、
前記要求のデータが、クライアントの料金の支払を必要とするかどうかを判断することを含むことを特徴とする請求項１に記載のデータ伝送の管理方法。
【請求項５】
前記要求のデータが、クライアントの料金の支払を必要とする場合、
サーバが、当該データの使用料の支払をクライアントに通知し、料金が支払われたことを知った後、サーバが、データ更新をクライアントに通知することを特徴とする請求項４に記載のデータ伝送の管理方法。
【請求項６】
前記要求のデータが、クライアントの料金の支払を必要とするかどうかを判断することは、クライアントの身分情報を解析し、
身分情報に基づいて、当該データがクライアントの料金支払を必要とするかどうかを判断することを含むことを特徴とする請求項５に記載のデータ伝送の管理方法。
【請求項７】
前記データ伝送がインスタントメッセージングシステムのデータ伝送を含み、前記クライアントが、インスタントメッセージングシステムにおいて、相互に通信するクライアント内の第１クライアントを含み、
サーバが、当該第１クライアントのデータ更新を第１クライアントとインスタントメッセージングを行う第２クライアントに通知し、
第２クライアントが、前記更新のデータを取得することをさらに含むことを特徴とする請求項１〜４のいずれか１項に記載のデータ伝送の管理方法。
【請求項８】
前記クライアントがデータ更新をサーバに要求することは、第１クライアントがサーバにより提供されたデータシーケンスからデータを選択し、選択結果をサーバに送信することを含み、前記クライアントがデータ更新を行うことは、第１クライアントが選択したデータをサーバからダウンロードすることを含み、前記第２クライアントが前記更新のデータを取得することは、第２クライアントが、第１クライアントに選択されたデータをサーバからダウンロードすること、又は、第１クライアントから前記データを受信することを含むことを特徴とする請求項７に記載のデータ伝送の管理方法。
【請求項９】
前記クライアントがデータ更新をサーバに要求すること、サーバがクライアントの要求を解析することにおけるサーバがデータコンテンツサーバを含み、前記サーバがデータ更新をクライアントに通知すること、クライアントがデータ更新を行うこと、サーバが当該第１クライアントのデータ更新を第１クライアントとインスタントメッセージングを行う第２クライアントに通知することにおけるサーバが個人別データサーバを含み、データコンテンツサーバが、個人別データサーバに対して、個人別データの第１クライアントの使用をアクティブにすることをさらに含むことを特徴とする請求項８に記載のデータ伝送の管理方法。
【請求項１０】
前記クライアントがデータ更新をサーバに要求することは、第１クライアントが、その選択したデータのアップロードをサーバに要求することを含み、前記クライアントがデータ更新を行うことは、第１クライアントが、前記データをサーバにアップロードすることを含み、前記第２クライアントが前記更新のデータを取得することは、第２クライアントが、第１クライアントのアップロードしたデータをサーバからダウンロードすること、又は、第１クライアントから前記データを受信することを含むことを特徴とする請求項７に記載のデータ伝送の管理方法。
【請求項１１】
前記クライアントがデータ更新をサーバに要求すること、サーバがクライアントの要求を解析することにおけるサーバがデータコンテンツサーバを含み、前記サーバが当該第１クライアントのデータ更新を第１クライアントとインスタントメッセージングを行う第２クライアントに通知することにおけるサーバが個人別データサーバを含み、データコンテンツサーバが、個人別データサーバに対して、個人別データの第１クライアントの使用をアクティブにし、第１クライアントの個人別データを個人別データサーバに伝送することをさらに含むことを特徴とする請求項１０に記載のデータ伝送の管理方法。
【請求項１２】
前記データが、画像、音楽、リング又はビデオマルチメディア情報を含むことを特徴とする請求項１に記載のデータ伝送の管理方法。
【請求項１３】
サーバと、クライアントとを含み、前記サーバとクライアントとの間にデータチャネルを有するデータ伝送の管理システムであって、前記サーバが、クライアントのデータ更新要求を解析し、予め設定された制御ポリシーに基づいて、クライアントが更新を要求したデータに対して制御措置をとり、クライアントが更新を要求したデータが制御ポリシーを満足する場合、クライアントにデータ更新を許可することを特徴とするデータ伝送の管理システム。
【請求項１４】
前記制御ポリシーが知的財産権保護の制御ポリシー、又は課金制御ポリシーを含むことを特徴とする請求項１３に記載のデータ伝送の管理システム。
【請求項１５】
前記サーバが、制御ポリシーデータを記憶するデータベースと、クライアントが更新を要求したデータのタイプ及び対応の制御ポリシー状況を判断するデータタイプ判断ユニットとを含むことを特徴とする請求項１３又は１４のいずれか１項に記載のデータ伝送の管理システム。
【請求項１６】
前記サーバが、データ使用料の支払提示メッセージを構成して、クライアントに送信し、支払結果を確認する課金ユニットと、前記サーバが、当該課金ユニットが料金が支払われたと確認した後、クライアントが更新を要求したデータが制御ポリシーを満足すると判定するユニットとをさらに含むことを特徴とする請求項１５に記載のデータ伝送の管理システム。
【請求項１７】
前記サーバが、データが制御措置を必要とするかどうかを判断し、必要とする場合、制御ポリシー提示メッセージをクライアントに送信し、確認結果に基づいて、制御ポリシーを満足するかどうかを判断し、制御ポリシーを満足する場合、アクティブメッセージを個人別データサーバに送信するデータコンテンツ提供サーバと、アクティブにした後、クライアントにデータ更新サービスを提供する個人別データサーバとを含むことを特徴とする請求項１３又は１４のいずれか１項に記載のデータ伝送の管理システム。
【請求項１８】
前記サーバがインスタントメッセージングサーバを含み、前記クライアントが相互にインスタントメッセージングを行うクライアントを含むことを特徴とする請求項１３又は１４のいずれか１項に記載のデータ伝送の管理システム。
【請求項１９】
前記更新を要求したデータに対してサーバにより制御措置をとられるクライアントが、インスタントメッセージングの第１クライアントを含み、前記制御ポリシーを満足した後、サーバによりデータ更新を許可されるクライアントが、インスタントメッセージングの第１クライアントと第２クライアントを含むことを特徴とする請求項１８に記載のデータ伝送の管理システム。
【請求項２０】
データ伝送の管理サーバであって、
制御ポリシーを記憶するデータベースと、
クライアントが更新を要求したデータのタイプ及び制御ポリシーの状況を判断するデータタイプ判断ユニットとを含むことを特徴とするデータ伝送の管理サーバ。
【請求項２１】
データ使用料の支払提示メッセージを構成してクライアントに送信し、支払結果を確認する課金ユニットと、
料金が支払われたと課金ユニットが確認した後、クライアントが更新を要求したデータが制御ポリシーを満足すると判定するユニットとをさらに含むことを特徴とする請求項２０に記載のデータ伝送の管理サーバ。
【請求項２２】
前記サーバが、データが制御措置を必要とするかどうかを判断し、必要とする場合、制御ポリシー提示メッセージをクライアントに送信し、確認結果に基づいて、制御ポリシーを満足するかどうかを判断し、制御ポリシーを満足する場合、アクティブメッセージを個人別データサーバに送信するデータコンテンツ提供サーバと、アクティブにした後、クライアントにデータ更新サービスを提供する個人別データサーバとを含むことを特徴とする請求項２０に記載のデータ伝送の管理サーバ。
【請求項２３】
前記サーバがインスタントメッセージングサーバを含むことを特徴とする請求項２０に記載のデータ伝送の管理サーバ。
【手続補正３】
【補正対象書類名】明細書
【補正対象項目名】０００１
【補正方法】変更
【補正の内容】
【０００１】
本発明は、データ処理及び伝送技術に関し、特にデータ伝送の管理方法、システム及びサーバに関する。
【手続補正４】
【補正対象書類名】明細書
【補正対象項目名】００２２
【補正方法】変更
【補正の内容】
【００２２】
しかしながら、従来技術２の方法にも欠点がある。即ち、ユーザが随意に個人別画像を選択することで、選択された画像ファイルが他人の知的財産権（例えば、著作権など）を侵害する恐れがあり、そして、前記画像ファイルが、クライアントの間でポイントツーポイント（Ｐ２Ｐ）の方式により伝送されて、ネットワークシステムが、選択された画像が他人の知的財産権を侵害するかどうかを判断し難しいため、画像ファイルの知的財産権の保護を有効に実現することができない。この問題は図２に示す方案にもある。図２に示す方案においては、一連の画像をすべてクライアントに保存して、サーバが画像のインデックスのみに対して管理し、画像の伝送ルートに対しては管理できないため、同様に、選択された画像が他人の知的財産権を侵害するかどうかを判断し難しく、画像ファイルの知的財産権の保護を有効に実現することができない。
【手続補正５】
【補正対象書類名】明細書
【補正対象項目名】００２４
【補正方法】変更
【補正の内容】
【００２４】
本発明の解決しようとする課題として、個人別データの伝播ルートを有効に制御できる、データ伝送の管理方法、システム及びサーバを提供することにある。
【手続補正６】
【補正対象書類名】明細書
【補正対象項目名】００２６
【補正方法】変更
【補正の内容】
【００２６】
データ伝送の管理方法であって、
クライアントが、データ更新をサーバに要求し、
サーバが、クライアントの要求を解析し、予め設定された制御ポリシーに基づいて、クライアントが更新を要求したデータに対して制御措置をとり、クライアントが更新を要求したデータが制御ポリシーを満足するかどうかを判断して、満足する場合、サーバが、データ更新をクライアントに通知し、クライアントが、データ更新を行うことを含む。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】変更
【補正の内容】
【００４３】
データ伝送の管理サーバであって、
制御ポリシーを記憶するデータベースと、
クライアントが更新を要求したデータのタイプ及び制御ポリシーの状況を判断するデータタイプ判断ユニットとを含む。
【手続補正２３】
【補正対象書類名】明細書
【補正対象項目名】００４５
【補正方法】変更
【補正の内容】
【００４５】
本発明の好ましい実施の形態において、クライアントが更新を要求したデータの制御状況をサーバが検出し、権利侵害が発生しうる場合に、料金支払をクライアントに提示することによって、データ伝播のルートを制御し、有効な知的財産権の保護措置を提供している。本発明の実施の形態によって、ネットワークシステムは、ユーザに選択された、例えばリング、音楽、文学作品などのようなデータが他人の知的財産権を侵害しているかどうかを容易に判定できる。従って、データ伝播のルートを有効に制御して、知的財産権を有効に保護できる。
【手続補正２４】
【補正対象書類名】明細書
【補正対象項目名】００６１
【補正方法】変更
【補正の内容】
【００６１】
サーバ１１０は、データベース１１１と、データタイプ判断ユニット１１２と、課金ユニット１１３と、サーバインターフェース１１４と、処理ユニット１１５とを含む。データベース１１１は、制御ポリシーデータを記憶し、データタイプ判断ユニット１１２は、クライアントが更新を要求したデータのタイプ及び制御ポリシー（例えば知的財産権保護の制御ポリシー、又は支払制御ポリシー）の状況を判断し、課金ユニット１１３は、データ使用料の支払提示メッセージを構成してクライアントに送信し、支払結果を確認し、サーバ１１０の処理ユニット１１５では、料金が支払われたと当該課金ユニット１１３が確認した後、クライアントが更新を要求したデータが制御ポリシーを満足すると判定し、サーバインターフェース１１４は、クライアントとの間のデータチャネルを確立し、処理ユニット１１５は、他の各ユニットの動作を調整し、データタイプ判断ユニット１１２の判定結果及び予め設定された制御ポリシーに基づいて、クライアントが要求したデータに対して制御措置をとり、そして、クライアントが更新を要求したデータが制御ポリシーを満足すると判定した後、クライアントにデータ更新を許可し、データの処理と伝送をサポートする。
【国際調査報告】
2008523477.tif 000010
2008523477.tif 000011
2008523477.tif 000012
2008523477.tif 000013
2008523477.tif 000014
2008523477.tif 000015